(57)【要約】【課題】確認箇所が密集していても、情報処理装置の画面上で確認箇所を認識することができ、作業現場における作業の進捗状況等を容易に把握することができるようにする。【解決手段】表示部３６と、該表示部３６に形成された図面表示画面に図面を表示する図面表示処理部Ｐｒ１２と、図面表示画面の所定の位置に、作業現場に設定された確認箇所を表す指標を表示するとともに、該指標と対応させて指標付属情報を表示する指標情報表示処理部と、前記指標及び指標付属情報の表示属性を設定する表示属性設定処理部Ｐｒ１４とを有する。指標が図面の一部に密集して表示されるのを防止することができる。指標の視認性を高くすることができるので、操作者は、指標を容易に識別することができるだけでなく、指標付属情報がどの指標のものであるかを容易に認識することができる。【選択図】図１
2019101721.tif 000002
【特許請求の範囲】
【請求項１】
（ａ）表示部と、
（ｂ）該表示部に形成された図面表示画面に図面を表示する図面表示処理部と、
（ｃ）前記図面表示画面の所定の位置に、作業現場に設定された確認箇所を表す指標を表示するとともに、該指標と対応させて指標付属情報を表示する指標情報表示処理部と、
（ｄ）前記指標及び指標付属情報の表示属性を設定する表示属性設定処理部とを有することを特徴とする情報処理装置。
【請求項２】
前記指標及び指標付属情報の表示属性は、操作者が表示又は非表示を選択することによって修正される請求項１に記載の情報処理装置。
【請求項３】
修正された表示属性をデータ記憶部に記録することによって登録する表示属性登録処理部を有する請求項２に記載の情報処理装置。
【請求項４】
前記指標付属情報は、前記図面表示画面の所定の位置に形成される表示エリアに表示される請求項１〜３のいずれか１項に記載の情報処理装置。
【請求項５】
前記指標付属情報は、前記表示エリアに表示される確認対象物についての補足情報である請求項４に記載の情報処理装置。
【請求項６】
前記指標情報表示処理部は、前記表示エリアに指標の密集度を表示する請求項４又は５に記載の情報処理装置。
【請求項７】
前記指標付属情報は、前記指標と表示エリアとを結ぶ引出線である請求項１〜６のいずれか１項に記載の情報処理装置。
【請求項８】
操作者が図面表示画面上で選択した位置に前記指標を登録する指標登録処理部を有する請求項１〜７のいずれか１項に記載の情報処理装置。
【請求項９】
前記指標登録処理部は、指標のイメージを表す素描の一覧から選択された所定の素描に基づいて指標を登録する請求項８に記載の情報処理装置。
【請求項１０】
（ａ）請求項１〜９のいずれか１項に記載の情報処理装置は、ネットワークを介してサーバ装置と接続され、
（ｂ）前記図面表示処理部は、サーバ装置から送信された図面データに基づいて図面を図面表示画面に表示することを特徴とする情報処理システム。
【請求項１１】
前記図面表示処理部は、サーバ装置から送信された指標情報に基づいて指標及び指標付属情報を図面表示画面に表示する請求項１０に記載の情報処理システム。
【発明の詳細な説明】
【技術分野】
【０００１】
本発明は、情報処理装置及び情報処理システムに関するものである。
【背景技術】
【０００２】
従来、建築現場、工事現場、測量現場等の作業現場、例えば、建築現場において、作業の進捗状況等を確認するために、所定の確認箇所で、電子カメラが搭載された情報処理装置としてのタブレット装置を使用して確認対象物の写真を撮影し、確認対象物について確認を行い、確認結果等をサーバ装置に送信し、記録することができるようにした情報処理システムが提供されている。
【０００３】
該情報処理システムにおいては、タブレット装置からの指示に基づいて、サーバ装置において確認結果を表す帳票が作成されるようになっている。
【０００４】
該帳票においては、建築物の見取り図から成る建築現場を表す図面の周囲に、確認箇所ごとの確認結果を表す画像が配置されるようになっている。そして、確認結果がどの確認箇所のものであるかが分かるように、図面における作業箇所にピンが表示されるとともに、作業箇所と確認結果を表す画像との間が引出線で結ばれる（例えば、特許文献１参照。）。
【０００５】
したがって、前記帳票を、タブレット装置に送り、タブレット装置の画面上に表示することによって、作業者は建築現場における作業の進捗状況等を画面上で把握することができる。
【先行技術文献】
【特許文献】
【０００６】
【特許文献１】特開２０１７−１３０００４号公報
【発明の概要】
【発明が解決しようとする課題】
【０００７】
しかしながら、前記従来の情報処理システムにおいては、確認箇所が密集していると、複数のピンが重ねて表示されるので、ピンを識別することができなくなるだけでなく、図面がピンによって隠れてしまうので、図面を見ることができなくなり、確認箇所を認識することができなくなってしまう。
【０００８】
その結果、確認結果がどの確認箇所のものであるかが分からなくなり、建築現場における作業の進捗状況等を画面上で把握することが困難になってしまう。
【０００９】
本発明は、前記従来の情報処理システムの問題点を解決して、確認箇所が密集していても、情報処理装置の画面上で確認箇所を認識することができ、作業現場における作業の進捗状況等を容易に把握することができる情報処理装置及び情報処理システムを提供することを目的とする。
【課題を解決するための手段】
【００１０】
そのために、本発明の情報処理装置においては、表示部と、該表示部に形成された図面表示画面に図面を表示する図面表示処理部と、前記図面表示画面の所定の位置に、作業現場に設定された確認箇所を表す指標を表示するとともに、該指標と対応させて指標付属情報を表示する指標情報表示処理部と、前記指標及び指標付属情報の表示属性を設定する表示属性設定処理部とを有する。
【発明の効果】
【００１１】
本発明によれば、情報処理装置においては、表示部と、該表示部に形成された図面表示画面に図面を表示する図面表示処理部と、前記図面表示画面の所定の位置に、作業現場に設定された確認箇所を表す指標を表示するとともに、該指標と対応させて指標付属情報を表示する指標情報表示処理部と、前記指標及び指標付属情報の表示属性を設定する表示属性設定処理部とを有する。
【００１２】
この場合、図面表示画面の所定の位置に指標及び指標付属情報が表示属性に基づいて表示されるので、確認箇所が密集していても、指標が図面の一部に密集して表示されるのを防止することができる。
【００１３】
したがって、指標の視認性を高くすることができるので、操作者は、指標を容易に識別することができるだけでなく、指標付属情報がどの指標のものであるかを容易に認識することができる。
【００１４】
しかも、指標によって図面が隠れることがないので、情報処理装置の画面上で作業現場における確認箇所を確実に認識することができ、作業現場における作業の進捗状況等を容易に把握することができる。
【図面の簡単な説明】
【００１５】
【図１】本発明の第１の実施の形態におけるタブレット装置の制御ブロック図である。
【図２】本発明の第１の実施の形態における情報処理システムを示す概念図である。
【図３】本発明の第１の実施の形態におけるサーバ装置の制御ブロック図である。
【図４】本発明の第１の実施の形態におけるタブレット装置のＣＰＵの動作を示すフローチャートである。
【図５】本発明の第１の実施の形態における表示部に形成される図面表示画面の第１の例を示す図である。
【図６】本発明の第１の実施の形態における表示属性のテーブルを示す図である。
【図７】本発明の第１の実施の形態における表示部に形成される図面表示画面の第２の例を示す図である。
【図８】本発明の第２の実施の形態におけるタブレット装置の制御ブロック図である。
【図９】本発明の第２の実施の形態におけるタブレット装置のＣＰＵの動作を示すフローチャートである。
【発明を実施するための形態】
【００１６】
以下、本発明の実施の形態について図面を参照しながら詳細に説明する。この場合、情報処理装置としての、かつ、携帯型の端末装置としてのタブレット装置と、サーバ装置とがネットワークを介して接続された情報処理システムについて説明する。
【００１７】
図２は本発明の第１の実施の形態における情報処理システムを示す概念図である。
【００１８】
図において、１０は情報処理システム、１１はタブレット装置、１２はサーバ装置、ＤＢは該サーバ装置１２に配設された第１の記憶部としての図面データベースである。該図面データベースＤＢには、建築物の見取り図から成り、建築現場を表す複数の図面のデータ、すなわち、図面データＤｔｉ（ｉ＝１、２、…）、指標情報としてのピン情報等が記録される。
【００１９】
図面データＤｔｉは、設計者によって設計され、例えば、Ａ０判、Ａ１判等の大判の用紙に作成された設計図面、すなわち、元図を、ＣＡＤデータ、ＪＰＥＧデータ、ＰＤＦデータ等のデータ形式でデータ化することによって作成される。
【００２０】
また、ｄｓ１はタブレット装置１１に形成された図面表示用の画面、すなわち、図面表示画面、ｇｒｓは、図面データＤｔｉのうちの所定の図面データＤｔｓに基づいて前記図面表示画面ｄｓ１に表示された、所定の建築現場を表す図面である。該図面ｇｒｓは元図と同じ内容を有する。
【００２１】
前記タブレット装置１１及びサーバ装置１２は、インターネット等のネットワークＮｔを介して接続されて情報処理システム１０を構成し、タブレット装置１１とサーバ装置１２との間で各種のデータの送受信が行われる。
【００２２】
前記情報処理システム１０を利用して、建築現場、工事現場、測量現場等の作業現場、例えば、建築現場において作業の進捗状況等を確認する場合、作業者である操作者は、タブレット装置１１を使用し、前記図面表示画面ｄｓ１に表示された図面ｇｒｓに基づいて、建築現場に設定された所定の確認箇所で、確認対象物について確認を行い、必要に応じて確認対象物の写真を撮影し、確認結果を図面表示画面ｄｓ１に表示させるとともに、サーバ装置１２に送信する。
【００２３】
前記タブレット装置１１としては、建築現場に持ち込むことができるように、薄型で、比較的軽量であり、かつ、携帯するのに適した寸法のものが使用される。本実施の形態においては、情報処理装置としてタブレット装置１１が使用されるが、タブレット装置１１に代えて、ノートパソコン、携帯電話、スマートフォン等の、ネットワークＮｔに接続することができ、ネットワークＮｔを介して図面データベースＤＢにアクセス（接続）することができる装置を使用することができる。
【００２４】
次に、サーバ装置１２について説明する。
【００２５】
図３は本発明の第１の実施の形態におけるサーバ装置の制御ブロック図である。
【００２６】
サーバ装置１２は、制御部としてのＣＰＵ（中央演算処理装置）２１、第２の記憶部としてのＲＯＭ（ＲＥＡＤ  ＯＮＬＹ  ＭＥＭＯＲＹ：読取専用メモリ）２３、第３の記憶部としてのＲＡＭ（ＲＡＮＤＯＭ  ＡＣＣＥＳＳ  ＭＥＭＯＲＹ：読書自在メモリ）２４、通信部２５、表示部２６、操作部２７、第１の記憶媒体としての記憶装置１３等を備える。
【００２７】
前記ＣＰＵ２１は、ＲＯＭ２３に記録された各種のプログラムに従ってサーバ装置１２の全体の制御（情報処理）を行う。また、前記ＣＰＵ２１は、記憶装置１３の図面データベースＤＢに記録された図面データＤｔｉの管理を行う図面管理処理部Ｐｒ１を備える。該図面管理処理部Ｐｒ１は、タブレット装置１１からの要求に応じて、図面データベースＤＢから所定の図面データＤｔｓ及び前記ピン情報を読み出してタブレット装置１１に送信する。
【００２８】
前記ＲＯＭ２３には、ＣＰＵ２１によって実行される各種のプログラム、例えば、前記図面管理処理部Ｐｒ１が図面管理処理を行うためのプログラム、該プログラムを実行するために必要なパラメータ等が記録される。
【００２９】
前記ＲＡＭ２４は、ＣＰＵ２１が各種の処理を行う際にデータを一時的に記録するバッファとして機能するとともに、ＣＰＵ２１が各種の処理を行う際のワーキングメモリとして機能する。
【００３０】
前記通信部２５は、サーバ装置１２をネットワークＮｔに接続するための通信用インタフェースである。
【００３１】
そして、前記表示部２６は、液晶ディスプレイ等から成る表示デバイスであり、図面データベースＤＢに記録された図面データＤｔｉの各元図を表示したり、タブレット装置１１に送信する図面データＤｔｓの図面ｇｒｓを表示したりする。
【００３２】
また、前記操作部２７は、キーボード、マウス等から成る入力デバイスであり、操作者が操作部２７を操作することによって、ＣＰＵ２１に所定の事項が入力される。
【００３３】
そして、前記記憶装置１３は、ハードディスク等の大容量記憶媒体から成り、記憶装置１３に前記データベースＤＢが形成される。該図面データベースＤＢには、前述されたように、図面データＤｔｉ、ピン情報等が記録される。
【００３４】
なお、前述されたように、本実施の形態においては、情報処理装置としてタブレット装置１１が使用されるが、情報処理装置としてスマートフォンが使用される場合、スマートフォンを使用して図面データベースＤＢから図面データＤｔｓを取得しようとすると、スマートフォンは、表示部の画面が小さく、操作部にキーボード等を備えていないので、操作性が低く、図面データＤｔｓを取得するまでに長い時間がかかる。そこで、情報処理装置としてスマートフォンを使用する場合、操作者は、サーバ装置１２の操作部２７を操作することによって図面データＤｔｓをスマートフォンに送信することができる。
【００３５】
次に、タブレット装置１１について説明する。
【００３６】
図１は本発明の第１の実施の形態におけるタブレット装置の制御ブロック図である。
【００３７】
タブレット装置１１は、制御部としてのＣＰＵ３１、第４の記憶部としてのＲＯＭ３３、第５の記憶部としてのＲＡＭ３４、通信部３５、表示部３６、操作部３７、撮像装置としての電子カメラ４５、第２の記憶媒体としての大容量の記憶装置４６等を備える。
【００３８】
前記ＣＰＵ３１は、ＲＯＭ３３に記録された各種のプログラムに従ってタブレット装置１１の全体の制御を行う。
【００３９】
また、ＣＰＵ３１は、サーバ装置１２から図面データＤｔｓ及びピン情報を取得する情報取得処理部Ｐｒ１１、表示部３６に前記図面表示画面ｄｓ１（図２）を形成し、図面表示画面ｄｓ１に図面ｇｒｓを表示する図面表示処理部Ｐｒ１２、図面表示画面ｄｓ１の所定の位置に、後述される一つ以上の、本実施の形態においては、４個の指標としてのピンＰｊ（ｊ＝１、２、…、４）（図５）を表示するとともに、指標付属情報としてのピン付属情報を各ピンＰｊと対応させて表示する指標情報表示処理部としてのピン情報表示処理部Ｐｒ１３、ピンＰｊ及びピン付属情報の表示又は非表示を規定する表示属性Ｌｓ１（図６）を設定する表示属性設定処理部Ｐｒ１４、表示属性を登録する表示属性登録処理部Ｐｒ１５等を備える。
【００４０】
前記ピンＰｊは作業現場に設定された確認箇所を表す標章である。また、ピン付属情報は、各ピンＰｊの付属情報であり、後述される表示エリアＳｅｊ（ｊ＝１、２、…、４）（図５）、該表示エリアＳｅｊに表示される、確認対象物についての補足情報、ピンＰｊの密集度、ピンＰｊと表示エリアＳｅｊとを結ぶ引出線Ｌｊ（ｊ＝１、２、…、４）等から成る。前記ピンＰｊ及びピン付属情報によってピン情報が構成される。
【００４１】
前記ＲＯＭ３３には、ＣＰＵ３１によって実行されるプログラム、該プログラムを実行するために必要なパラメータ等が記録される。
【００４２】
そして、前記ＲＯＭ３３には、情報取得処理部Ｐｒ１１が情報取得処理を行うためのプログラム、図面表示処理部Ｐｒ１２が図面表示処理を行うためのプログラム、ピン情報表示処理部Ｐｒ１３が指標情報表示処理としてのピン情報表示処理を行うためのプログラム、表示属性設定処理部Ｐｒ１４が表示属性設定処理を行うためのプログラム、表示属性登録処理部Ｐｒ１５が表示属性登録処理を行うためのプログラム等が記録される。
【００４３】
また、前記ＲＡＭ３４は、ＣＰＵ３１が各種の処理を行う際にデータを一時的に記録するバッファとして機能するとともに、ＣＰＵ３１が各種の処理を行う際のワーキングメモリとして機能する。
【００４４】
そして、前記通信部３５は、タブレット装置１１をネットワークＮｔに接続するための通信用インタフェースである。
【００４５】
なお、本実施の形態において、前記情報取得処理部Ｐｒ１１は、通信部３５を介して前記図面データＤｔｓ及びピン情報を取得するようになっているが、ＵＳＢ（ＵＮＩＶＥＲＳＡＬ  ＳＥＲＩＡＬ  ＢＵＳ）メモリ等の半導体メモリを介して図面データＤｔｓ及びピン情報を取得することができる。また、前記情報取得処理部Ｐｒ１１は、サーバ装置１２から図面データＤｔｓ及びピン情報を取得するようになっているが、ネットワークＮｔを介して接続された図示されないパソコンから、パソコンのメモリに記録された図面データＤｔｓ及びピン情報を取得することができる。
【００４６】
前記表示部３６は、タッチパネルで形成された液晶ディスプレイ等から成る表示デバイスであり、操作部３７の機能を有する。
【００４７】
前記操作部３７は、キーボード、マウス等から成る入力デバイスであり、操作者が操作部３７に配設されたボタン等を操作することによって、ＣＰＵ３１に所定の事項が入力される。
【００４８】
本実施の形態においては、前記表示部３６がタッチパネルで形成されているので、操作者は、表示部３６の図面表示画面ｄｓ１上の操作要素としてのキー等に操作媒体としての指でタッチすることによって、ＣＰＵ３１に所定の事項を入力することができる。そのために、操作者が図面表示画面ｄｓ１上の所定の位置にタッチすると、表示部３６は、操作者がタッチした位置を所定のサンプリング周期でサンプリングし、リアルタイムで図面表示画面ｄｓ１上の座標の位置の時間的変化を追跡し、指の動作を検出する。
【００４９】
例えば、表示部３６は、図面表示画面ｄｓ１に操作者がタッチしたまま指を移動させたときに、指のスライド動作を検出し、操作者が２本の指をタッチしたまま広げたときに、指のピンチ動作を検出し、操作者が指を弾いたときに、指のフリック動作を検出し、操作者が短時間タッチしたときに、指のタップ動作を検出する。
【００５０】
前記電子カメラ４５は、撮像素子を備え、被写体、本実施の形態においては、作業箇所の写真を撮影するのに伴って、デジタルの画像データから成る写真データを生成するデジタルカメラである。操作者が、タブレット装置１１の所定の箇所に形成されたシャッタ（スイッチ）を押下するか、又はタッチパネル上に形成されたシャッタにタッチすると、電子カメラ４５によって写真が撮影される。
【００５１】
また、前記記憶装置４６は、例えば、ハードディスク、ＥＥＰＲＯＭ（ＥＬＥＣＴＯＲＩＣＡＬＬＹ  ＥＲＡＳＡＢＬＥ  ＰＲＯＧＲＡＭＭＡＢＬＥ  ＲＯＭ）等から成り、第１のデータ記憶部としての図面データ記憶部４８、及び第２のデータ記憶部としての、かつ、指標情報記憶部としてのピン情報記憶部５０を備え、前記図面データ記憶部４８に、サーバ装置１２から送信された図面データＤｔｓ等が記録され、前記ピン情報記憶部５０に前記各ピンＰｊについてのピン情報が記録される。
【００５２】
次に、図面データＤｔｉについて説明する。
【００５３】
本実施の形態において、Ａ０判、Ａ１判等の大判の用紙に作成された元図をデータ化した図面データＤｔｉは、比較的高い解像度（密度）（６００〔ｄｐｉ〕又は４００〔ｄｐｉ〕）で図面データベースＤＢに記録される。
【００５４】
ここで、Ａ０判の元図の寸法は、縦が８４１〔ｍｍ〕、横が１１８９〔ｍｍ〕であるので、６００〔ｄｐｉ〕の解像度で図面データＤｔｉを作成すると、縦が１９８６６〔ドット〕、横が２８０８７〔ドット〕になり、これを面の画素数で表すと、約５億６千万〔ドット〕になり、非常に膨大なデータ量になる。
【００５５】
一方、タブレット装置１１の表示部３６に形成される図面表示画面ｄｓ１の寸法は、一般的に、縦が７８６〔ドット〕、横が１０２４〔ドット〕程度であり、面の画素数で表すと、約７８万６千〔ドット〕になる。
【００５６】
したがって、表示部３６の図面表示画面ｄｓ１に表示される図面ｇｒｓは、図面データＤｔｓに対して約７００分の１の解像度で表示されることになる。そして、図面データＤｔｓをサーバ装置１２からタブレット装置１１に送信し、表示部３６の図面表示画面ｄｓ１に図面ｇｒｓを表示しようとすると、図面データ記憶部４８のメモリ容量等の制約から、表示に要する時間、すなわち、表示時間が長くなり、数〔秒〕から数十〔秒〕になってしまう。
【００５７】
ところで、建築現場において確認対象物について確認を行う際に、図面表示画面ｄｓ１に、必ずしも高い解像度で図面ｇｒｓを表示する必要はなく、１４０〔ｄｐｉ〕〜１５０〔ｄｐｉ〕程度の解像度があれば十分である。
【００５８】
また、図面表示画面ｄｓ１の寸法が、例えば、縦が７８６〔ドット〕であり、確認対象物について確認を行う際に、図面ｇｒｓについて６倍の倍率までの拡大が要求される場合、図面データＤｔｓの縦のサイズは、
７６８〔ドット〕×６＝４６０８〔ドット〕
あれば十分である。
【００５９】
これをＡ０判の用紙に作成された元図に当てはめると、元図の寸法は縦が８４１〔ｍｍ〕であるので、図面ｇｒｓの解像度は、
（（４６０８／８４１）×２５．４）＝１３９．２〔ｄｐｉ〕
になる。
【００６０】
すなわち、縦が７８６〔ドット〕程度の図面表示画面ｄｓ１に、縦のサイズが４６０８〔ドット〕の図面ｇｒｓを１３９．２〔ｄｐｉ〕の解像度で表示する場合、図面ｇｒｓの表示時間を十分に短くすることができる。
【００６１】
そこで、本実施の形態においては、前記図面表示処理部Ｐｒ１２が、サーバ装置１２から送信された図面データＤｔｓの解像度を６００〔ｄｐｉ〕から１５０〔ｄｐｉ〕に変更する処理を行い、変更後の解像度で図面ｇｒｓを表示するようになっている。
【００６２】
なお、タブレット装置１１の処理速度が高い場合は、解像度が、例えば、２００〔ｄｐｉ〕であっても表示時間を短くすることができる。すなわち、解像度の値は、タブレット装置１１の処理速度、図面ｇｒｓの拡大の倍率等によって決まる。
【００６３】
また、解像度を変更しても、図面表示画面ｄｓ１上の位置を図面データＤｔｓ上の位置に対応させて算出することができ、元図上の確認箇所の位置に対応させて図面ｇｒｓ上でピンＰｊの位置を設定することができる。
【００６４】
次に、前記ＣＰＵ３１の動作について説明する。
【００６５】
図４は本発明の第１の実施の形態におけるタブレット装置のＣＰＵの動作を示すフローチャート、図５は本発明の第１の実施の形態における表示部に形成される図面表示画面の第１の例を示す図、図６は本発明の第１の実施の形態における表示属性のテーブルを示す図、図７は本発明の第１の実施の形態における表示部に形成される図面表示画面の第２の例を示す図である。
【００６６】
図において、１１はタブレット装置、Ｆｒは該タブレット装置１１の外枠、ｄｓ１は表示部３６（図１）にタッチパネルで形成された図面表示画面である。建築現場において、操作者は、例えば、図５及び７に示されるように、タブレット装置１１の外枠Ｆｒを左手で持ち、右手で図面表示画面ｄｓ１にタッチする。
【００６７】
タブレット装置１１がサーバ装置１２（図２）に接続されている状態で、操作者がタブレット装置１１のメニュー画面で情報取得を選択すると、前記情報取得処理部Ｐｒ１１は、サーバ装置１２の図面データベースＤＢから、図面データＤｔｉのうちの所定の図面データＤｔｓ及び該図面データＤｔｓに対応するピン情報を取得する。
【００６８】
そのために、操作者が操作部３７を操作して所定の検索条件を入力すると、サーバ装置１２において、前記図面管理処理部Ｐｒ１（図３）は、図面データＤｔｉを検索し、検索条件が成立する図面データＤｔｓを出力し、対応するピン情報と共にタブレット装置１１に送信する。
【００６９】
そして、前記情報取得処理部Ｐｒ１１は、サーバ装置１２から図面データＤｔｓ及び対応するピン情報を取得すると、図面データ記憶部４８に図面データＤｔｓを、ピン情報記憶部５０にピン情報を記録する。
【００７０】
続いて、操作者がタブレット装置１１のメニュー画面で図面表示を選択すると、前記図面表示処理部Ｐｒ１２は、表示部３６に前記図面表示画面ｄｓ１を形成し、図面データ記憶部４８から図面データＤｔｓを読み出し、該図面データＤｔｓに基づいて図面表示画面ｄｓ１に図面ｇｒｓを表示する。
【００７１】
なお、前記図面表示画面ｄｓ１における周縁部に、縮尺表示部Ａｒ１、及びＸＹ座標による第１、第２のスケール表示部Ａｒ２、Ａｒ３が形成される。縮尺表示部Ａｒ１には、表示されている図面ｇｒｓの元図に対する図面表示用の縮尺、本実施の形態においては、「１／１００」が、第１のスケール表示部Ａｒ２には図面ｇｒｓのＸ軸方向のスケールが、第２のスケール表示部Ａｒ３には図面ｇｒｓのＹ軸方向のスケールが表示される。
【００７２】
また、前記ピン情報表示処理部Ｐｒ１３は、ピン情報記憶部５０からピン情報のうちの、各ピンＰｊの形状を表す形状データ、各ピンＰｊの図面ｇｒｓ上の位置を表す位置データ等を読み出し、図面ｇｒｓにおける各確認箇所に、確認箇所であることを表す前記４個のピンＰｊを表示する。本実施の形態において、各ピンＰｊは、白抜きの矢印で形成され、矢印内にピンＰｊの番号を表す数字ｊ（ｊ＝１、２、…、４）が付与される。
【００７３】
また、前記ピン情報表示処理部Ｐｒ１３は、図面表示画面ｄｓ１の所定の箇所、本実施の形態においては、図面ｇｒｓに隣接する箇所に、各ピンＰｊと対応させて表示エリアＳｅｊを形成する。そして、ピン情報表示処理部Ｐｒ１３は、各表示エリアＳｅｊ内に、ピンＰｊの番号を表す前記数字ｊ、及び確認対象物についての補足情報を表示するとともに、所定の箇所に、ピン密集度表示部ｑｊ（ｊ＝１、２、…、４）を形成する。  
【００７４】
前記補足情報は、確認対象物の写真、確認対象物が描かれた画像、確認対象物についてのコメント等から成る。
【００７５】
そして、前記ピン情報表示処理部Ｐｒ１３は、ピン情報記憶部５０から読み出したピン情報に基づいて、各ピンＰｊの周囲におけるピンの密集度、すなわち、ピン密集度を算出し、前記各ピン密集度表示部ｑｊに表示する。
【００７６】
本実施の形態において、ピン密集度は、図面表示画面ｄｓ１上で各ピンＰｊから１００〔ピクセル〕の範囲内に表示されているピンの数を表す。例えば、図５に示される図面表示画面ｄｓ１においては、各ピンＰｊの周囲に、自身のピンも含めて４本のピンが表示されているので、各ピン密集度表示部ｑｊに表示されるピン密集度は４になる。
【００７７】
さらに、前記ピン情報表示処理部Ｐｒ１３は、図面表示画面ｄｓ１に、ピンＰｊと表示エリアＳｅｊとを結ぶ引出線Ｌｊ（ｊ＝１、２、…、４）を表示する。
【００７８】
このように、各ピンＰｊに、ピンＰｊの番号を表す数字ｊが表示されるとともに、各ピンＰｊに対応する表示エリアＳｅｊに、同じ数字ｊが表示され、ピンＰｊと表示エリアＳｅｊとが引出線Ｌｊによって結ばれるので、操作者は、表示エリアＳｅｊに表示されたピン付属情報がどのピンＰｊについてのものであるかを容易に認識することができる。
【００７９】
ところで、本実施の形態においては、前記図面表示画面ｄｓ１において各ピンＰｊ及び各ピン付属情報を選択的に表示することができるようになっている。
【００８０】
そのために、前記ピン情報記憶部５０に、ピンＰｊごとに、図６に示されるような、ピンＰｊ及びピン付属情報の表示又は非表示を規定する表示属性Ｌｓ１がテーブルとして記録される。表示属性Ｌｓ１は、ピンＰｊごとに、ピンの番号、図面ｇｒｓ上にピンＰｊを表示するかどうか、図面表示画面ｄｓ１上に引出線Ｌｊを表示するかどうか、各表示エリアＳｅｊに前記確認対象物の写真を表示するかどうか、及び各表示エリアＳｅｊに前記確認対象物についてのコメントを表示するかどうかの設定項目から成り、各設定項目がオン又はオフによって設定されるようになっている。
【００８１】
例えば、番号Ｎｏ．１〜Ｎｏ．４の各ピンＰｊについて、ピンＰｊ、引出線Ｌｊ、確認対象物の写真及び確認対象物についてのコメントの各設定項目がすべてオンに設定されると、図５に示されるように、図面表示画面ｄｓ１上にすべてのピンＰｊ及びすべての引出線Ｌｊが表示され、すべての表示エリアＳｅｊに確認対象物の写真及び確認対象物についてのコメントが表示される。
【００８２】
この場合、建築現場において確認箇所が密集していて、各ピンＰｊが図面ｇｒｓの一部に密集して表示されると、複数のピンが重なることがあり、操作者は、各ピンＰｊを識別するのが困難になるだけでなく、各表示エリアＳｅｊに表示されたピン付属情報がどのピンのものであるかを認識するのが困難になる。
【００８３】
各ピンＰｊを異なる色で表示することによって各ピンＰｊを識別することができるようにすることが考えられるが、各ピンＰｊが重なる場合には、隠れたピンを識別することができない。
【００８４】
そこで、本実施の形態においては、操作者が、図面表示画面ｄｓ１上で、表示エリアＳｅｊのピン密集度表示部ｑｊのピン密集度、又は図面表示画面ｄｓ１におけるピンＰｊの表示状態を見て、ピンＰｊの表示を変更する必要があると判断したときに、前記図面表示画面ｄｓ１に表示されている各ピンＰｊ、各引出線Ｌｊ及び各表示エリアＳｅｊのうちのいずれか一つに、タップ動作でタッチすると、前記表示属性設定処理部Ｐｒ１４は、図面表示画面ｄｓ１上に図示されないウインドウを形成し、該ウインドウに前記表示属性Ｌｓ１を表示し、操作者がピンＰｊ及び対応するピン情報の表示又は非表示を選択することができるようになっている。
【００８５】
そして、操作者が表示属性Ｌｓ１において各設定項目をオン又はオフにして表示又は非表示を選択すると、前記表示属性設定処理部Ｐｒ１４は、ピンＰｊ及びピン付属情報の表示属性Ｌｓ１を修正して設定する。
【００８６】
例えば、図６の表示属性Ｌｓ１においては、番号Ｎｏ．１のピンＰ１については、ピンＰ１、引出線Ｌ１、確認対象物の写真及び確認対象物についてのコメントがオンにされ、番号Ｎｏ．２のピンＰ２については、ピンＰ２がオンにされ、引出線Ｌ２、確認対象物の写真及び確認対象物についてのコメントがオフにされ、番号Ｎｏ．３のピンＰ３については、ピンＰ３がオフにされ、引出線Ｌ３、確認対象物の写真及び確認対象物についてのコメントがオンにされ、番号Ｎｏ．４のピンＰ４については、ピンＰ４がオンにされ、引出線Ｌ４がオフにされ、確認対象物の写真がオンにされ、確認対象物についてのコメントがオフにされる。
【００８７】
このようにして、表示属性Ｌｓ１が修正されると、表示属性登録処理部Ｐｒ１５は、修正された表示属性Ｌｓ１を前記ピン情報記憶部５０に記録するとともに、サーバ装置１２に送信し、サーバ装置１２において、表示属性Ｌｓ１が図面データベースＤＢに記録される。
【００８８】
続いて、ピン情報表示処理部Ｐｒ１３は、修正された表示属性Ｌｓ１に基づいて、図面表示画面ｄｓ１に所定のピン及びピン付属情報を表示する。
【００８９】
例えば、図７に示されるように、番号Ｎｏ．１のピンＰ１については、図面表示画面ｄｓ１上にピンＰ１及び引出線Ｌ１が表示され、表示エリアＳｅ１に確認対象物の写真及び確認対象物についてのコメントが表示される。
【００９０】
また、番号Ｎｏ．２のピンＰ２については、図面表示画面ｄｓ１上にピンＰ２が表示されるが、引出線Ｌ２は表示されず、表示エリアＳｅ２も表示されない。この場合、表示エリアＳｅ２が表示されないので、確認対象物の写真及び確認対象物についてのコメントは表示されない。
【００９１】
そして、番号Ｎｏ．３のピンＰ３については、図面表示画面ｄｓ１上にピンＰ３が表示されず、引出線Ｌ３が表示され、表示エリアＳｅ３に確認対象物の写真及び確認対象物についてのコメントが表示される。
【００９２】
また、番号Ｎｏ．４のピンＰ４については、図面表示画面ｄｓ１上にピンＰ４が表示され、引出線Ｌ４は表示されず、表示エリアＳｅ４に、確認対象物の写真が表示され、確認対象物についてのコメントは表示されない。
【００９３】
この場合、表示属性Ｌｓ１において、ピンＰｊ及び引出線Ｌｊのうちの少なくとも一方をオンにし、図面表示画面ｄｓ１上にピンＰｊ及び引出線Ｌｊのうちの少なくとも一方を表示するのが好ましい。
【００９４】
続いて、ピン情報表示処理部Ｐｒ１３は、修正された表示属性Ｌｓ１に基づいて、図面表示画面ｄｓ１上で各ピンＰｊから１００〔ピクセル〕の範囲内に表示されているピンの数をカウントすることによって、各ピンＰｊのピン密集度を算出し、ピン密集度表示部ｑｊ、図７においては、ピン密集度表示部ｑ１、 ｑ３、ｑ４にピン密集度３を表示する。なお、各ピンＰｊのピン密集度は、表示属性Ｌｓ１に基づいてその都度算出することができるので、ピン情報として図面データベースＤＢに記録しておく必要はない。
【００９５】
本実施の形態においては、前述されたように、ピンＰｊ、引出線Ｌｊ、表示エリアＳｅｊ、確認対象物の写真及び確認対象物についてのコメントを選択的に表示することができるので、ピンＰｊが互いに重ねて表示されるのを抑制することができ、操作者は、各ピンＰｊを容易に識別することができる。また、ピンＰｊによって図面ｇｒｓが隠れるのが抑制され、引出線Ｌｊの先端が指す位置が分かりやすくなるので、操作者は、各表示エリアＳｅｊに表示されたピン付属情報がどのピンのものであるかを容易に認識することができる。
【００９６】
なお、ピンＰｊが表示されていなくても、引出線Ｌｊ及び表示エリアＳｅｊが表示されていれば、操作者は、表示エリアＳｅｊに表示されたピン付属情報がどの確認箇所のものであるかを認識することができる。
【００９７】
また、表示エリアＳｅｊが表示されていなくても、ピンＰｊ及び引出線Ｌｊが表示されていれば、操作者は、確認箇所で確認対象物について確認が行われたことを容易に認識することができる。
【００９８】
次に、フローチャートについて説明する。
ステップＳ１  情報取得処理部Ｐｒ１１はサーバ装置１２から図面データＤｔｓ及び対応するピン情報を取得する。
ステップＳ２  図面表示処理部Ｐｒ１２は図面表示画面ｄｓ１に図面ｇｒｓを表示し、ピン情報表示処理部Ｐｒ１３はピンＰｊを表示する。
ステップＳ３  表示属性設定処理部Ｐｒ１４はピンＰｊ及びピン付属情報の表示属性Ｌｓ１を修正する。
ステップＳ４  ピン情報表示処理部Ｐｒ１３は修正された表示属性Ｌｓ１に基づいて所定のピン及びピン付属情報を表示する。
ステップＳ５  ピン情報表示処理部Ｐｒ１３はピン密集度を算出する。
ステップＳ６  ピン情報表示処理部Ｐｒ１３はピン密集度を表示し、処理を終了する。
【００９９】
このように、本実施の形態においては、図面ｇｒｓの所定の位置にピンＰｊが、図面表示画面ｄｓ１の所定の位置に表示エリアＳｅｊ、引出線Ｌｊ等が、表示属性Ｌｓ１に基づいて選択的に表示されるので、ピンＰｊが図面ｇｒｓの一部に密集して表示されるのを防止することができる。
【０１００】
したがって、ピンＰｊの視認性を高くすることができるので、操作者は、ピンＰｊを容易に識別することができるだけでなく、表示エリアＳｅｊ、引出線Ｌｊ等がどのピンのものであるかを容易に認識することができる。
【０１０１】
しかも、ピンＰｊによって図面ｇｒｓが隠れてしまうことがないので、建築現場における確認箇所が見えなくなるのを防止することができる。
【０１０２】
本実施の形態において、前記ピン情報表示処理部Ｐｒ１３は、図面表示画面ｄｓ１上で各ピンＰｊから１００〔ピクセル〕の範囲内に表示されているピンの数をカウントすることによって、各ピンＰｊのピン密集度を算出するようになっているが、元図上で、各確認箇所から実寸で、所定の距離、例えば、３〔ｍ〕の範囲内にある確認箇所の数をカウントすることによってピン密集度を算出することができる。
【０１０３】
また、本実施の形態において、ピン情報表示処理部Ｐｒ１３は、算出したピン密集度をピン密集度表示部ｑｊに表示するようになっているが、算出したピン密集度に応じて、ピンＰｊを表す矢印の色を異ならせたり、ピンＰｊの形状を異ならせたりすることができる。
【０１０４】
さらに、本実施の形態において、ピン情報表示処理部Ｐｒ１３は、修正された表示属性Ｌｓ１に基づいて表示されたピンの周囲のピンの数をカウントするようになっているが、図面表示画面ｄｓ１上で表示可能なピンの数をカウントすることができる。その場合、周囲のすべてのピンを表示したときに、どの程度密集して表示されるかを想定することができ、図面表示画面ｄｓ１上に表示可能なピンの数が、あらかじめ設定された閾値以上になると、操作者が表示属性Ｌｓ１の各設定項目のオン・オフを切り替えることなく、ピン情報表示処理部Ｐｒ１３が、表示属性Ｌｓ１の各設定項目のオン・オフを自動的に切り替え、ピンＰｊ、引出線Ｌｊ、表示エリアＳｅｊ、確認対象物の写真及び確認対象物についてのコメントを選択的に表示する。
【０１０５】
また、ピン密集度の閾値を設定し、ピン情報表示処理部Ｐｒ１３によって算出されたピン密集度が閾値を超えた場合に、超えた分のピン密集度に応じて、表示するピンの数を少なくすることができる。その場合、初期状態において、図面表示画面ｄｓ１に表示されるピンＰｊの数は少なくなるが、その後、操作者が表示属性Ｌｓ１の各設定項目のオン・オフを必要に応じて切り替えることによって、ピンＰｊ、引出線Ｌｊ、表示エリアＳｅｊ、確認対象物の写真及び確認対象物についてのコメントを任意に表示することができる。
【０１０６】
例えば、ピン密集度の閾値を３としたときに、ピン情報表示処理部Ｐｒ１３は、図面表示画面ｄｓ１にピンＰｊを番号Ｎｏ．１〜Ｎｏ．４の順に表示し、各ピンＰｊの周囲のピンの数をカウントして、閾値３を超えるピンを表示しないようにする。
【０１０７】
次に、図面表示画面ｄｓ１に新たにピン及びピン付属情報を表示し、表示したピン及びピン付属情報を登録することができるようにした本発明の第２の実施の形態について説明する。なお、第１の実施の形態と同じ構造を有するものについては、同じ符号を付与し、同じ構造を有することによる発明の効果については同実施の形態の効果を援用する。
【０１０８】
図８は本発明の第２の実施の形態におけるタブレット装置の制御ブロック図、図９は本発明の第２の実施の形態におけるタブレット装置のＣＰＵの動作を示すフローチャートである。
【０１０９】
図に示されるように、制御部としてのＣＰＵ３１は、サーバ装置１２（図２）から図面データＤｔｓ及びピン情報を取得する情報取得処理部Ｐｒ１１、表示部３６に前記図面表示画面ｄｓ１（図２）を形成し、図面表示画面ｄｓ１に図面ｇｒｓを表示する図面表示処理部Ｐｒ１２、図面ｇｒｓにおける各確認箇所に、指標としての一つ以上の、本実施の形態においては、４個のピンＰｊ（ｊ＝１、２、…、４）、及び各ピンＰｊの付属情報、すなわち、指標付属情報としてのピン付属情報を表示する指標情報表示処理部としてのピン情報表示処理部Ｐｒ１３、ピンＰｊ及びピン付属情報を表示するかどうかを設定する表示属性設定処理部Ｐｒ１４、ピンＰｊを登録する指標登録処理部としてのピン登録処理部Ｐｒ１６等を備える。
【０１１０】
そして、第４の記憶部としてのＲＯＭ３３には、情報取得処理部Ｐｒ１１が情報取得処理を行うためのプログラム、図面表示処理部Ｐｒ１２が図面表示処理を行うためのプログラム、ピン情報表示処理部Ｐｒ１３が指標情報表示処理としてのピン情報表示処理を行うためのプログラム、属性情報設定処理部Ｐｒ１４が属性情報設定処理を行うためのプログラム、ピン登録処理部Ｐｒ１６が指標登録処理としてのピン登録処理を行うためのプログラム等が記録される。
【０１１１】
情報処理装置としての、かつ、端末装置としてのタブレット装置１１がサーバ装置１２に接続されている状態で、操作者がタブレット装置１１のメニュー画面で情報取得を選択すると、前記情報取得処理部Ｐｒ１１は、サーバ装置１２の第１の記憶部としての図面データベースＤＢから、図面データＤｔｉのうちの所定の図面データＤｔｓ及び対応する指標情報としてのピン情報を取得し、第１のデータ記憶部としての図面データ記憶部４８に図面データＤｔｓを、第２のデータ記憶部としての、かつ、指標情報記憶部としてのピン情報記憶部５０にピン情報を記録する。図面データベースＤＢにピン情報が記録されていない場合、前記情報取得処理部Ｐｒ１１は、図面データＤｔｓだけを取得し、図面データ記憶部４８に記録する。
【０１１２】
続いて、操作者がタブレット装置１１のメニュー画面で図面表示を選択すると、前記図面表示処理部Ｐｒ１２は、表示部３６に前記図面表示画面ｄｓ１を形成し、図面データ記憶部４８から図面データＤｔｓを読み出し、図面データＤｔｓに基づいて図面表示画面ｄｓ１に図面ｇｒｓを表示する。
【０１１３】
図面データベースＤＢにピン情報が記録されている場合、前記ピン情報表示処理部Ｐｒ１３は、図面表示画面ｄｓ１における各確認箇所にピンＰｊを表示するとともに、図面ｇｒｓに隣接させて表示エリアＳｅｊを形成する。そして、該各表示エリアＳｅｊにピン密集度表示部ｑｊが形成される。次に、前記ピン情報表示処理部Ｐｒ１３は、ピン情報記憶部５０からピン付属情報を読み出し、各表示エリアＳｅｊに、前記確認対象物の写真、確認対象物の画像、確認対象物についてのコメント等を表示し、ピン密集度表示部ｑｊにピン密集度を表示する。さらに、前記ピン情報表示処理部Ｐｒ１３は、各ピンＰｊと表示エリアＳｅｊとを結ぶ引出線Ｌｊを表示する。
【０１１４】
図面データベースＤＢにピン情報が記録されていない場合、図面表示画面ｄｓ１には、ピンＰｊ、表示エリアＳｅｊ及び引出線Ｌｊが表示されない。
【０１１５】
そこで、本実施の形態においては、建築現場において、図面データベースＤＢにピン情報が記録されていない確認箇所を新たに設定し、図面ｇｒｓに新たにピンを登録することができるようになっている。
【０１１６】
そのために、ピン情報記録部５０に、ピンのイメージを表す素描の一覧、すなわち、図示されない素描一覧が記録される。該素描一覧には、各種の形状、各種の色であらかじめ作成された複数のピンの素描が記録される。
【０１１７】
そして、操作者が、図面表示画面ｄｓ１にタップ動作でタッチすることによって、図面ｇｒｓ上でピンを表示する位置、すなわち、ピン表示位置を選択すると、表示部３６は、指のタップ動作を検出し、タップ動作の信号をＣＰＵ３１に送る。前記信号をＣＰＵ３１が受けると、ピン登録処理部Ｐｒ１６は、ピン情報記録部５０から素描一覧を読み出し、図面表示画面ｄｓ１に表示する。
【０１１８】
操作者が素描一覧に表示された所定のピンの素描をタッチすることによって選択すると、前記ピン登録処理部Ｐｒ１６は、図面表示画面ｄｓ１にウインドウを形成し、該ウインドウに属性情報の入力エリアを作成する。
【０１１９】
そして、操作者は、該入力エリアにおいて、ピン表示位置に表示するピンに対応する属性情報として、確認対象物についてのコメント、例えば、確認対象物における確認項目、確認対象物における破損等の問題点の指摘、補修状況、確認対象物における確認結果等を入力する。
【０１２０】
続いて、前記表示属性設定処理部Ｐｒ１４は、前記ピン情報記憶部５０からピン及びピン付属情報の表示属性Ｌｓ１（図６）のデフォルト値を読み出し、図面表示画面ｄｓ１に表示する。操作者が表示属性Ｌｓ１の各設定項目について表示又は非表示を選択すると、前記表示属性設定処理部Ｐｒ１４は、表示属性Ｌｓ１を設定する。
【０１２１】
これにより、操作者は、新たに登録するピンについて、図面表示画面ｄｓ１上にピンを表示するかどうか、図面表示画面ｄｓ１上に引出線Ｌｊ（図７）を表示するかどうか、各表示エリアＳｅｊに前記確認対象物の写真を表示するかどうか、及び各表示エリアＳｅｊに前記確認対象物についてのコメントを表示するかどうかを選択することができる。
【０１２２】
続いて、ピン登録処理部Ｐｒ１６は、図面表示画面ｄｓ１上にウインドウを形成し、該ウインドウに表示エリアを形成する。そして、操作者が、タブレット装置１１に形成されたシャッタを押下するか、又は図面表示画面ｄｓ１上に形成されたシャッタにタッチすると、撮像装置としての電子カメラ４５によって写真が撮影され、ピン情報表示処理部Ｐｒ１３は写真データを取得する。
【０１２３】
次に、ピン登録処理部Ｐｒ１６は、図面表示画面ｄｓ１上にウインドウを形成し、該ウインドウに、操作者が入力した確認対象物についてのコメント、及びピン情報表示処理部Ｐｒ１３が取得した写真データの写真等の補足情報を表示する。これにより、操作者は、入力したコメント及び撮影した写真を確認することができる。入力したコメント及び前記写真データの写真は、表示に関する属性情報に基づくことなく表示される。
【０１２４】
そして、前記ピン登録処理部Ｐｒ１６は、操作者が選択したピン表示位置のデータ、操作者が選択したピンの素描、操作者が入力した確認対象物についてのコメント、操作者が撮影した確認対象物の写真データ、ピン及びピン付属情報の表示属性Ｌｓ１等を新たなピン情報としてピン情報記憶部５０に記録することによって、新たなピンを登録する。
【０１２５】
また、前記ピン登録処理部Ｐｒ１６は、ピン情報記憶部５０から前記新たなピン情報を読み出し、サーバ装置１２に送信し、図面データベースＤＢに記録する。
【０１２６】
なお、画像表示画面ｄｓ１に新たなピンが登録され、新たなピン情報がサーバ装置１２に送信され、図面データベースＤＢに記録されると、その後、前記情報取得処理部Ｐｒ１１によって図面データＤｔｓ及び対応するピン情報が取得され、図面表示処理部Ｐｒ１２によって図面表示画面ｄｓ１に図面ｇｒｓが表示され、ピン情報表示処理部Ｐｒ１３によって、ピン、表示エリア、引出線等が表示されたときに、操作者は、各ピンを容易に識別することができるだけでなく、各表示エリアに表示されたピン付属情報がどのピンのものであるかを容易に認識することができる。
【０１２７】
次に、フローチャートについて説明する。
ステップＳ１１  情報取得処理部Ｐｒ１１はサーバ装置１２から図面データＤｔｓ及びピン情報を取得する。
ステップＳ１２  図面表示処理部Ｐｒ１２は図面表示画面ｄｓ１に図面ｇｒｓを表示し、ピン情報表示処理部Ｐｒ１３はピンＰｊ及びピン付属情報を表示する。
ステップＳ１３  操作者が図面ｇｒｓ上のピン表示位置を選択する。
ステップＳ１４  操作者がピンの素描を選択する。
ステップＳ１５  操作者がピンＰｊに対応する属性情報を入力する。
ステップＳ１６  表示属性設定処理部Ｐｒ１４はピンＰｊ及びピン付属情報の表示属性Ｌｓ１を設定する。
ステップＳ１７  ピン情報表示処理部Ｐｒ１３は写真データを取得する。
ステップＳ１８  ピン登録処理部Ｐｒ１６は補足情報を表示する。
ステップＳ１９  ピン登録処理部Ｐｒ１６は新たなピン情報をピン情報記憶部５０に登録する。
ステップＳ２０  ピン登録処理部Ｐｒ１６は新たなピン情報をサーバ装置１２に送信し、処理を終了する。
【０１２８】
前記各実施の形態においては、情報処理装置としてタブレット装置１１について説明したが、本発明をカメラ付き携帯電話、ＰＤＡ等の情報処理装置に適用することができる。
【０１２９】
なお、本発明は前記各実施の形態に限定されるものではなく、本発明の趣旨に基づいて種々変形させることが可能であり、それらを本発明の範囲から排除するものではない。
【符号の説明】
【０１３０】
１１    タブレット装置
３６    表示部
ｄｓ１    図面表示画面
ｇｒｓ    図面
Ｌｊ    引出線
Ｌｓ１    表示属性
Ｐｊ    ピン
Ｐｒ１２    図面表示処理部
Ｐｒ１３    ピン情報表示処理部
Ｐｒ１４    表示属性設定処理部
Ｓｅｊ    表示エリア
【図１】
2019101721.tif 000003
【図２】
2019101721.tif 000004
【図３】
2019101721.tif 000005
【図４】
2019101721.tif 000006
【図５】
2019101721.tif 000007
【図６】
2019101721.tif 000008
【図７】
2019101721.tif 000009
【図８】
2019101721.tif 000010
【図９】
2019101721.tif 000011